(57)【要約】【課題】部屋用の空調機を部屋に突出させることなく、かつ、空調機のメンテナンスも容易となる建物を提供する。【解決手段】２階の床上にスキップ床２９が設けられ、このスキップ床２９と上階の床６との間が、天井高が０．９〜１．４ｍの収納室３１とされ、この収納室３１に空調機５０が設置され、収納室３１の床６ａ（６ｂ）に、空調機５０から前記収納室３１に吹出された空気を、下階に吹出すための吹出口５１が、収納室３１とその下の部屋３とに面する壁５２の際に沿って設けられているので、空調機５０を部屋に突出させることなく、機能させることができる、また、収納室３１に入って空調機５０のメンテナンスを行えるので、メンテナンスが容易となる。【選択図】図１
2008303571.tif 000002
【特許請求の範囲】
【請求項１】
上階の床上にスキップ床が設けられ、このスキップ床と上階の床との間が、天井高が０．９〜１．４ｍの収納室とされた建物において、
前記収納室に空調機が設置されており、
前記収納室の床には、前記空調機から前記収納室に吹出された空気を、下階に吹出すための吹出口が、前記収納室とその下の部屋とに面する壁の際に沿って設けられていることを特徴とする建物。
【請求項２】
請求項１に記載の建物において、
前記吹出口の一部には、電灯が前記収納室の下の部屋に向けて設けられていることを特徴とする建物。
【請求項３】
請求項１または２に記載の建物において、
前記収納室の床のうち、前記収納室とその下の部屋とに面する壁の近傍に位置する部位が、厚さが薄い薄床とされ、この薄床に前記吹出口が設けられていることを特徴とする建物。
【請求項４】
請求項３に記載の建物において、
前記収納室には、前記薄床と他の床との境界部に壁が設けられており、この壁に薄床上の空間に出入りするための開口部が設けられていることを特徴とする建物。
【請求項５】
請求項４に記載の建物において、
前記開口部の下端部は、前記収納室の床より上方に位置していることを特徴とする建物。
【発明の詳細な説明】
【技術分野】
【０００１】
本発明は、上階の床と、その上のスキップ床との間に収納室を備えた建物に関する。
【背景技術】
【０００２】
大型の収納室を備えた建物の一例として、特許文献１に記載のものが知られている。この建物では、１階と２階との間に収納室（収納空間）が設けられており、この収納室に隣接して居室が設けられている。この収納室の天井高は１．４ｍ程度であり、収納室への出入口は居室に面して設けられている。したがって、収納室へは居室から出入口を通って自由に出入りでき、また、収納室の天井高が１．４ｍ程度あるので、大人でも腰を屈めた状態で出入りできるとともに、収納室内での作業も比較的容易に行うことができる。
【特許文献１】特開２００４−１１３３６号公報
【発明の開示】
【発明が解決しようとする課題】
【０００３】
ところで、上記のような建物では、収納室の下方にも１階の部屋が設けられているが、この部屋用の空調機を何処に設けるかについては、前記特許文献１には記載されていない。部屋用の空調機は、通常その部屋の天井や壁に設けるのが一般的である。
したがって、上記のような建物でも、収納室の下方の部屋用の空調機を、その部屋の天井や壁に設けると、この空調機が部屋に突出してしまい、見映えがよくないばかりか、邪魔になる場合もある。
また、天井に空調機を設けた場合、空調機のメンテナンスをする際に、梯子や脚立が必要となったり、場合によっては天井裏に上る必要があり、非常に手間がかかる。
【０００４】
本発明は上記事情に鑑みてなされたもので、部屋用の空調機を部屋に突出させることなく、かつ、空調機のメンテナンスも容易となる建物を提供することを課題としている。
【課題を解決するための手段】
【０００５】
上記課題を解決するために、請求項１に記載の発明は、例えば図１〜図４に示すように、上階（例えば２階）の床上にスキップ床２９が設けられ、このスキップ床２９と上階の床６との間が、天井高が０．９〜１．４ｍの収納室３１とされた建物において、
前記収納室３１に空調機５０が設置されており、
前記収納室３１の床６ａ（６ｂ）には、前記空調機５０から前記収納室３１に吹出された空気を、下階に吹出すための吹出口５１が、前記収納室３１とその下の部屋３とに面する壁５２の際に沿って設けられていることを特徴とする。
【０００６】
請求項１に記載の発明によれば、収納室３１に空調機５０が設置されており、この空調機５０から収納室３１に吹出された空気は、収納室３１とその下の部屋３とに面する壁５２の際に沿って設けられた吹出口５１から下階の部屋３に吹出すので、空調機５０を部屋に突出させることなく、機能させることができる。
また、吹出口５１は収納室３１の床６ａ（６ｂ）に、該収納室３１とその下の部屋３とに面する壁５２の際に沿って設けられているので、下の部屋３において吹出口５１が目立つことがない。
さらに、収納室３１に入って空調機５０のメンテナンスを行えるので、メンテナンスが容易となる。
【０００７】
請求項２に記載の発明は、請求項１に記載の建物において、
前記吹出口５１の一部には、電灯５３が前記収納室３１の下の部屋３に向けて設けられていることを特徴とする。
【０００８】
請求項２に記載の発明によれば、吹出口５１の一部に電灯５３が設けられているので、収納室３１の下の部屋３において、天井と壁５２との間から電灯の光を間接照明として得ることができる。また、電灯５３の交換、修理も収納室３１に入って行えるので、交換、修理作業が容易となる。
【０００９】
請求項３に記載の発明は、請求項１または２に記載の建物において、
前記収納室３１の床６ａのうち、前記収納室３１とその下の部屋３とに面する壁５２の近傍に位置する部位が、厚さが薄い薄床６ｂとされ、この薄床６ｂに前記吹出口５１が設けられていることを特徴とする。
【００１０】
請求項３に記載の発明によれば、薄床６ｂに吹出口５１が設けられているので、床の厚い部分に吹出口を設ける場合より容易に吹出口５１を設けることができる。また、吹出口５１の一部に電灯５３を設けた場合において、電灯５３の交換、修理作業を容易に行える。さらに、薄床６ｂ上の空間は収納室３１の他の床６ａ上の空間より床が薄い分、高くなるので、前記交換、修理作業が行い易くなる。
【００１１】
請求項４に記載の発明は、請求項３に記載の建物において、
前記収納室３１には、前記薄床６ｂと他の床６ａとの境界部に壁５４が設けられており、この壁５４に薄床６ｂ上の空間に出入りするための開口部５４ａが設けられていることを特徴とする。
【００１２】
請求項４に記載の発明によれば、薄床６ｂと他の床６ａとの境界部に設けられた壁５４によって、収納室３１を、薄床６ｂ上の空間と収納室３１の他の床６ａ上の空間とに区切ることができる。つまり、収納室３１を収納物を収納する空間と、電灯５３の交換、修理作業を行う作業空間とに区切ることができる。作業空間には、物を収納しないので、空調機５０から収納室３１に吹出された空気は、壁５４の開口部５４ａを通って、作業空間からスムーズに吹出口５１に導かれ、該吹出口５１から下階の部屋３に吹出される。
【００１３】
請求項５に記載の発明は、請求項４に記載の建物において、
前記開口部５４ａの下端部は、前記収納室３１の床６ａより上方に位置していることを特徴とする。
【００１４】
請求項５に記載の発明によれば、壁５４に設けられた開口部５４ａの下端部が収納室３１の床６ａより上方に位置しているので、薄床６ｂ以外の収納室３１の床６ａから小物や塵が薄床６ｂに転がり落ちるのを防止できる。したがって、小物や塵が吹出口５１に入り込むのを防止できる。
【発明の効果】
【００１５】
本発明によれば、収納室の床に、該収納室に設置された空調機から収納室に吹出された空気を、下階に吹出すための吹出口が、前記収納室とその下の部屋とに面する壁の際に沿って設けられているので、空調機を部屋に突出させることなく、機能させることができる。また、吹出口は収納室の床に、該収納室とその下の部屋とに面する壁の際に沿って設けられているので、下の部屋において吹出口が目立つことがない。さらに、収納室に入って空調機のメンテナンスを行えるので、メンテナンスが容易となる。
【発明を実施するための最良の形態】
【００１６】
以下図面を参照して本発明の実施の形態について説明する。
本実施の形態の建物は、２．５階建ての住宅であり、２階の上に、２階床より半階高いスキップ床が設けられてなるものである。
図１は建物を示す縦断面図、図２は同建物の１階の平面図、図３は同建物の２階の平面図、図４は同建物の２．５階の平面図である。
【００１７】
１階の間取りは以下のようになっている。すなわち、図２に示すように、建物の南側の中央部より若干東側には、玄関１が建物の南側の外壁から奥まって設けられており、この玄関１の北側にホール２が設けられている。ホール２の西側にはキッチン３が設けられており、このキッチン３の南側にダイニングルーム４がキッチン３と連続して設けられている。ダイニングルーム４の東側には、リビングルーム５がダイニングルーム４と連続して設けられている。
【００１８】
ダイニングルーム４は、天井高の高い高天井部屋４となっており、その上方には２階の床が設けられている。キッチン３とリビングルーム５の天井は、ダイニングルーム４の天井より低くなっており、これらキッチン３とリビングルーム５の上方には、２階の床６が設けられている。
リビングルーム５の東側の壁には、地窓５ａが設けられており、この地窓５ａは玄関ポーチに面している。
【００１９】
キッチン３の北側には、洗面室７と浴室８とが東西に隣接して設けられており、洗面室７には、ホール２から出入りできるようになっている。また、ホール２には階段９が１階の床と２階の床６との間に設けられており、階段９の北側にはエレベータ室１０が１階の床から２階の床６を抜け、さらに２．５階の床を抜けて２．５階の天井まで延びて設けられている。このエレベータ室１０にエレベータが設けられており、該エレベータは１階、２階、２．５階のそれぞれで開閉するようになっている。
ホール２の北側には、土間１１が設けられており、この土間１１は１階の収納室１２に隣接している。
【００２０】
収納室１２は天井高が０．９〜１．４ｍ程度の低天井室であり、土間１１と収納室１２とを仕切る壁には、収納室１２用の出入口が形成されている。この出入口の高さも０．９〜１．４ｍ程度である。収納室１２の床の一部１２ａは土間１１の床と連続して面一となっているが、収納室の床の他部１２ｂは一段高くなっており、ホール２の床と面一となっている。
また、玄関１の東側には土間１３が収納室１２の南側に隣接して設けられている。この土間１３は例えば工房として使用されるもので、この土間１３と収納室１２とを仕切る壁には、収納室１２用の出入口が形成されている。この出入口の高さは０．９〜１．４ｍ程度である。また、土間１３には玄関１および玄関ポーチ１ａの双方から出入できるようになっている。
また、前記ホール２の東側には、階段１４が１階の床と２階の床６との間に設けられている。
さらに、収納室１２の北側には、階段１５が１階の床と２階の床６との間に設けられている。この階段１５が設けられる階段室は１階の内部とは壁によって仕切られており、外部から出入するようになっている。
【００２１】
２階の間取りは以下のようになっている。すなわち、図３に示すように、２階のほぼ中央部にホール１６が設けられており、このホール１６に前記階段９の下り口が設けられている。ホール１６の南側には、バルコニー１７と部屋１８とが東西に隣接して設けられている。バルコニー１７は２階の南側の外壁から奥まって設けられたものであり、その上方には屋根はなく開放されている。
また、部屋１８は天井高の高い高天井部屋となっており、この部屋１８の天井は２．５階にあるスキップ床２９上の天井とほぼ等しい高さとなっている。なお、ホール１６も天井高の高い高天井部屋となっており、このホール１６の天井は２．５階にあるスキップ床２９上の天井とほぼ等しい高さとなっている。
【００２２】
前記ホール１６の北側には部屋２７が設けられており、この部屋２７の西側には収納室２８が設けられている。この収納室２８は、２階の床６上にスキップ床２９を設け、このスキップ床２９と２階の床６との間に設けられたものであり、天井高が０．９〜１．４ｍ程度になっている。収納室２８と部屋２７とを仕切る壁には、出入口３０が設けられている。
また、ホール１６の西側には収納室３１が前記収納室２８の南側に隣接して設けられている。この収納室３１もスキップ床２９と２階の床６との間に設けられたものであり、天井高が０．９〜１．４ｍ程度になっている。収納室３１とホール１６とを仕切る壁には、出入口３２が設けられており、この出入口３２は引戸によって開閉可能となっている。また、前記収納室２８とホール１６とを仕切る壁には、出入口３３が設けられており、この出入口３３は引戸によって開閉可能となっている
【００２３】
また、前記バルコニー１７の東側には、部屋３３が設けられており、この部屋３３の北側には部屋３４が設けられている。部屋３３内には階段ホール３３ａが設けられており、この階段ホール３３ａと前記ホール１６と仕切る壁に出入口が設けられている。
また、前記部屋３４は１階の収納室１２上に設けられているので、部屋３３より半階ほど低くなっており、該部屋３４には前記階段１４の途中の踊り場１４ａに面している出入口３４ａから出入するようになっている。また、部屋３４には前記階段１５を通って出入できるようになっている。
【００２４】
２．５階の間取りは以下のようになっている。すなわち図４に示すように、建物内の西側には、主寝室として使用される部屋３７が設けられている。また、部屋３７の東側には洗面室３８が設けられている。これら部屋３７および洗面室３８は、１階のダイニングルーム４と２階の収納室３１と収納室２８の上にあるスキップ床２９上に設けられている。
部屋３７には２階のホール１６から階段４０を上って、その階段４０の下り口から出入りするようになっている。階段４０は２階の床とスキップ床２９との間に設けられている。
【００２５】
建物内の東側には、部屋４３と水回り系の部屋４４とが南北に隣接して設けられており、この水回り系の部屋４４には部屋４３から出入りするようになっている。水回り系の部屋４４は洗面室兼トイレと浴室とを備えている。部屋４３の南側には階段４５の下り口が設けられており、この下り口から部屋４３に出入りするようになっている。また、部屋４３と水回り系の部屋４４とは、前記部屋３４上に設けられており、部屋４４の床は前記部屋３７の床より若干低くなっている。
【００２６】
２階にある収納室２８，３１は、２階の床６とスキップ床２９との間に設けられているが、収納室３１には、図１に示すように、空調機５０が収納室３１の天井に設置されている。空調機５０は冷暖房の機能を備えており、該空調機５０の室外機（図視略）は建物の外部に設置されている。空調機５０からは、収納室３１に涼しい空気や暖かい空気が吹出される。
２階の床６の一部は、収納室３１の床６ａとなっており、この収納室３１の床６ａには、空調機５０から収納室３１に吹出された空気を、下階に吹出すための吹出口５１が、収納室３１とその下の部屋（キッチン）３とに面する壁５２の際に沿って設けられている。吹出口５１は平面視において、細長い長方形状に形成されており、この吹出口５１の一部には、電灯５３が前記収納室の下の部屋（キッチン）３に向けて設けられている。電灯５３としては、例えば白熱灯や蛍光灯などが使用されている。電灯５３が球体状の場合、該電灯５３は吹出口５１の長手方向に沿って所定間隔で配置され、電灯５３が長尺状の場合、該電灯５３は吹出口５１の長手方向に沿って延在するようにして配置される。
キッチン３には、収納棚３ａが壁５２に当接するようにして設けられており、この収納棚３ａの上面と、キッチン３の天井との間には所定の間隔が確保され、この間隔を通して、電灯５３の光がキッチン３に達するようになっている。また、前記空調機５０のコントローラはキッチン３に設けられている。
【００２７】
また、収納室３１の床６ａのうち、収納室３１とその下の部屋（キッチン）３とに面する壁５２の近傍に位置する部位が、厚さが薄い薄床６ｂとされている。薄床６ｂは床６ａに比べ上面が低く形成されており、該薄床６ｂに前記吹出口５１が設けられている。
また、収納室３１には、薄床６ｂと他の床６ａとの境界部に壁５４が設けられており、この壁５４に薄床６ｂ上の空間に出入りするための開口部５４ａが設けられている。この開口部５４ａは矩形状に形成されており、該開口部５４ａの下端部は、収納室３１の床６ａより上方に位置している。つまり、開口部５４ａは、その下端が床６ａの上面より高くなるようにして形成されている。
【００２８】
本実施の形態によれば、スキップ床２９と２階の床６との間に設けられた収納室３１に空調機５０が設置されており、この空調機５０から収納室３１に吹出された空気は、収納室３１とその下の部屋３とに面する壁５２の際に沿って設けられた吹出口５１から下階の部屋３に吹出すので、空調機５０を部屋に突出させることなく、機能させることができる。
また、吹出口５１は収納室３１の床６ａに、該収納室３１とその下の部屋３とに面する壁５２の際に沿って設けられているので、下の部屋３において吹出口５１が目立つことがない。
さらに、収納室３１に入って空調機５０のメンテナンスを行えるので、メンテナンスが容易となる。
【００２９】
また、吹出口５１の一部に電灯５３が設けられているので、収納室３１の下の部屋３において、天井と壁５２との間から電灯の光を間接照明として得ることができる。また、電灯５３の交換、修理も収納室３１に入って行えるので、交換、修理作業が容易となる。
また、収納室３１の床６ａのうち、収納室３１とその下の部屋３とに面する壁５２の近傍に位置する部位が、厚さが薄い薄床６ｂとされ、この薄床６ｂに吹出口５１が設けられているので、床の厚い部分に吹出口を設ける場合より容易に吹出口５１を設けることができる。また、薄床６ｂ上の空間は収納室３１の他の床６ａ上の空間より床が薄い分、高くなるので、電灯５３の交換、修理作業が行い易くなる。
さらに、
【００３０】
薄床６ｂと他の床６ａの境界部に設けられた壁５４によって、収納室３１を、薄床６ｂ上の空間と収納室の他の床６ａ上の空間とに区切ることができる。つまり、収納室３１を収納物を収納する空間と、電灯５３の交換、修理作業を行う作業空間とに区切ることができる。作業空間には、物を収納しないので、空調機５０から収納室３１に吹出された空気は、壁５４の開口部５４ａを通って、作業空間からスムーズに吹出口５１に導かれ、該吹出口５１から下階の部屋３に吹出される。
また、開口部５４ａの下端部は、収納室３１の床６ａより上方に位置しているので、薄床６ｂ以外の収納室の床６ａから小物や塵が薄床に転がり落ちるのを防止できる。したがって、小物や塵が吹出口５１に入り込むのを防止できる。
【図面の簡単な説明】
【００３１】
【図１】本発明に係る建物の一例を示すもので、その縦断面図である。
【図２】同、建物の１階の平面図である。
【図３】同、建物の２階の平面図である。
【図４】同、建物の２．５階の平面図である。
【符号の説明】
【００３２】
６  ２階の床
６ａ  収納室の床
６ｂ  薄床
２９  スキップ床
３１  収納室
５０  空調機
５１  吹出口
５２  壁
５３  電灯
５４  壁
５４ａ  開口部
【図１】
2008303571.tif 000003
【図２】
2008303571.tif 000004
【図３】
2008303571.tif 000005
【図４】
2008303571.tif 000006